(57)【特許請求の範囲】
【請求項１】
電線接続部の下端部からトロリー線接続部を突出した側面視Ｌ字状の端子が左右に並べて設けられ、前記隣合う端子のトロリー線接続部の突出方向を逆向きにして、両者の電線接続部が前後方向において離間することを特徴とする接続器。
【請求項２】
前記隣り合う端子の夫々の電線接続部に電線接続用孔が設けられ、これら電線接続用孔が上下方向にずれて配置されたことを特徴とする請求項１に記載の接続器。
【請求項３】
前記電線接続部を前記トロリー線接続部よりも上方において側方に向かって傾斜させたことを特徴とする請求項１又は請求項２に記載の接続器。
【請求項４】
前記端子が設けられるベースと前記端子を覆うカバーを備え、前記ベースに、前記カバーを水平方向にスライド自在且つ上下動不能に保持するスライド保持部が形成されたことを特徴とする請求項１乃至３のいずれか１項に記載の接続器。
【請求項５】
前記ベースに、前記カバーが前記端子を覆う位置に配置されたときに、前記カバーのスライド方向の移動を規制するスライド規制部が形成されたことを特徴とする請求項４に記載の接続器。
【請求項６】
前記ベースに、前記端子に接続された電線と前記ベースに取り付けられたカバーの間に配置される電線受部が形成されたことを特徴とする請求項４又は請求項５に記載の接続器。
【発明の詳細な説明】
【技術分野】
【０００１】
本発明は絶縁トロリー線と電線を電気接続するための接続器に関する。
【背景技術】
【０００２】
従来、図９に示すように屋内に架設された絶縁トロリー線２からホイストクレーン等の移動機器４に給電を行うシステムが知られている。この給電システムでは、絶縁トロリー線２を架設するにあたって、長手方向に並ぶ絶縁トロリー線２の端部同士を接続するトロリー線接続装置１が用いられている。
【０００３】
特許文献１にはトロリー線接続装置が開示されている。特許文献１では、絶縁トロリー線が左右に並ぶ複数の導体を有し、各導体は絶縁トロリー線の長手方向の端部において露出している。一方、トロリー線接続装置には導体継手が左右方向に一列に並べて設けられ、一方の絶縁トロリー線の導体と他方の絶縁トロリー線の導体は対応する導体継手によって連結されている。なお、この特許文献１では導体への給電を絶縁トロリー線２の造営材４４側の端部で行っている。
【先行技術文献】
【特許文献】
【０００４】
【特許文献１】特開昭６１−１２５９３７号公報
【発明の概要】
【発明が解決しようとする課題】
【０００５】
ところで、このような給電システムにあっては、導体への給電を絶縁トロリー線のトロリー線接続装置側の端部で行う場合がある。ここで、特許文献１において絶縁トロリー線のトロリー線接続装置側の端部において給電を行うには、例えば前記導体継手に給電線を電気接続することが考えられる。しかし、前記導体継手は左右に並べて配置されて、比較的近い位置に配置されるため、導体継手に接続された電線同士が干渉しやすく、施工し難くなる。また、電線同士或いは電線と絶縁トロリー線の間で充分な絶縁距離を確保するには、導体継手を左右に大きく離間させることが考えられるが、この場合は接続器の大型化を招く。
【０００６】
本発明は前記事情に鑑みてなされたものであって、大型化を抑えつつ、電線同士を干渉し難くして施工性に優れると共に電線同士の絶縁距離及び電線と絶縁トロリー線の絶縁距離を充分に確保できる接続器を提供することを課題とする。
【課題を解決するための手段】
【０００７】
前記課題を解決するために本発明の接続器は、電線接続部の下端部からトロリー線接続部を突出した側面視Ｌ字状の端子が左右に並べて設けられ、前記隣合う端子のトロリー線接続部の突出方向を逆向きにして、両者の電線接続部が前後方向において離間することを特徴とする。
【０００８】
また、前記隣り合う端子の夫々の電線接続部に電線接続用孔が設けられ、これら電線接続用孔が上下方向にずれて配置されることが好ましい。
【０００９】
また、前記電線接続部を前記トロリー線接続部よりも上方において側方に向かって傾斜させることが好ましい。
【００１０】
また、前記端子が設けられるベースと前記端子を覆うカバーを備え、前記ベースに、前記カバーを水平方向にスライド自在且つ上下動不能に保持するスライド保持部が形成されることが好ましい。
【００１１】
また、前記ベースに、前記カバーが前記端子を覆う位置に配置されたときに、前記カバーのスライド方向の移動を規制するスライド規制部が形成されることが好ましい。
【００１２】
また、前記ベースに、前記端子に接続された電線と前記ベースに取り付けられたカバーの間に配置される電線受部が形成されることが好ましい。
【発明の効果】
【００１３】
本発明にあっては、大型化を抑えつつ、電線同士の干渉を防止して施工性を向上すると共に電線同士の充分な絶縁距離を確保できる。
【図面の簡単な説明】
【００１４】
【図１】本実施形態のカバーを取り外した接続器を示す斜視図である。
【図２】接続器の施工状態を示す斜視図である。
【図３】同上の正面図である。
【図４】接続器を用いて導体の接続した状態を示す要部側断面図である。
【図５】ベースとカバーを示す斜視図である。
【図６】カバーを取り外した接続器の側面図である。
【図７】接続器の要部斜視図である。
【図８】他例のカバーを取り外した接続器を示す平面図である。
【図９】従来の給電システムを示す斜視図である。
【発明を実施するための形態】
【００１５】
本発明を図１乃至図９に基づいて説明する。図１乃至図７に示す本実施形態の接続器１は、以下に示す移動機器４の給電システムにおいて、長手方向に並ぶ絶縁トロリー線２同士を電気接続すると共に、両絶縁トロリー線２を給電線からなる電線５に電気接続するために用いられる。なお、以下では従来の接続器を用いた給電システムと同様の構成については図９を用いて説明する。また、以下では施工状態の方向を基準にして説明し、絶縁トロリー線２の長手方向を前後方向、絶縁トロリー線２の幅方向を左右方向として説明する。
【００１６】
本実施形態の接続器１が用いられる給電システムは、図９に示すように建物に架設された絶縁トロリー線２から、ホイストクレーンからなる移動機器４に集電装置４６を介して電力を供給する。なお、絶縁トロリー線２の給電対象となる移動機器４はホイストクレーンに限られず、本発明は自動倉庫や立体駐車場等の他の分野に適用しても構わない。
【００１７】
各絶縁トロリー線２は接続器１によって長手方向に順次接続され、このうち両端に配置される絶縁トロリー線２は碍子４３によって保持される。碍子４３はばね４５を介して造営材４４側に引っ張られた状態で造営材４４に連結され、これにより各絶縁トロリー線２は張力が加わった状態で架設される。
【００１８】
図２や図３に示すように各絶縁トロリー線２は、厚み方向を上下方向とする帯状の導体７を複数有すると共にこれら導体７を収納する樹脂製の絶縁材８を有している。絶縁材８には下方に開口する略コ字状のシース部９が左右に一定のピッチで複数列（図示例では３列）並べて形成され、各シース部９は絶縁材８の長手方向に亘って形成されている。
【００１９】
各シース部９内に形成された下方に開口する溝内には、導体７が長手方向に亘って設けられている。これら導体７は下面の幅方向中央部がシース部９の溝開口から露出している。
【００２０】
絶縁トロリー線２の各導体７の端部は、以下に示すように接続器１を介して隣接する絶縁トロリー線２の対応する導体７の端部に電気接続される。これにより、前後複数の導体７からなる移動機器４用の給電ラインが三本形成されることとなる。
【００２１】
図２のように接続器１は本体１１と本体１１に設けられる複数の端子１５ａ〜１５ｃとで構成されている。本体１１は前後に長い略矩形で前方に開口した箱状に形成されている。本体１１は、本体１１の底面を構成するベース１２と、ベース１２に対して脱着可能で本体１１の上面、両側面、及び後面を構成するカバー１３とからなる。
【００２２】
図３に示すようにベース１２の下面の左右方向中央部には、下方に開口した挿入溝１６が前後方向に亘って形成されている。挿入溝１６には前後両側の絶縁トロリー線２が挿入され、この挿入溝１６には挿入された両絶縁トロリー線２を支持する支持部１７が形成されている。
【００２３】
ベース１２の前後方向中央部には、図５に示す上下に貫通した通し孔１９が給電ラインと同数左右に並べて形成され、ベース１２の上面には隣り合う通し孔１９の間から立ち上がる仕切り壁２０が形成されている。
【００２４】
図１のようにベース１２上には通し孔１９と同数の端子１５ａ〜１５ｃが配置される。各端子１５ａ〜１５ｃは金属製で側面視Ｌ字状に形成され、電線接続部２１と、電線接続部２１の下端部から突出したトロリー線接続部２２とで構成されている。
【００２５】
トロリー線接続部２２の先端部にはブロック状の導体挿入部２３が形成され、導体挿入部２３には上下に貫通する挿入孔２４が形成されている。導体挿入部２３には、導体挿入部２３の先端面と挿入孔２４とを連通させるように前後方向に貫通する雌ねじ孔２５が形成され、この雌ねじ孔２５には図４のように電線接続部２１と反対側からボルト２６がねじ込まれる。
【００２６】
図１のように電線接続部２１は板状に形成され、その下端部は電線接続部２１と同じ厚みの接続片部２７を介して導体挿入部２３の側端部に接続されている。すなわちトロリー線接続部２２は、接続片部２７と導体挿入部２３とで構成されている。
【００２７】
端子１５ａ〜１５ｃは、図１のように挿入孔２４が対応する通し孔１９に対向するようにベース１２上に左右に並べて載置され、隣り合う端子１５ａ〜１５ｃの間に仕切り壁２０が配置されて絶縁される。これら端子１５ａ〜１５ｃは、トロリー線接続部２２の突出方向が交互に逆向きになるよう載置される。図１の例では両外側に配置された端子１５ａ及び端子１５ｃのトロリー線接続部２２の突出方向が前向き、中央に配置された端子１５ｂのトロリー線接続部２２の突出方向が後向きになっている。
【００２８】
各端子１５ａ〜１５ｃの電線接続部２１には、雌ねじ孔からなる電線接続用孔２８が形成されている。このうち端子１５ａ，１５ｃにあっては、電線接続部２１のトロリー線接続部２２よりも上方に突出した部分が左側方に折り曲げられて傾斜し、この傾斜した部分に電線接続用孔２８が形成されている。
【００２９】
端子１５ｂにあっては、電線接続部２１の全体が鉛直な縦板状に形成され、この電線接続部２１は端子１５ａ，１５ｃの電線接続部２１と比較して背が高くなっている。端子１５ｂの電線接続用孔２８は、上半部がトロリー線接続部２２よりも上方に配置され、下半部はトロリー線接続部２２と同レベルに配置される。従って、図１のように端子１５ａ〜１５ｃがベース１２上の設置位置に配置された状態では、図６に示されるように端子１５ｂの電線接続用孔２８が端子１５ａ，１５ｃの電線接続用孔２８よりも下方に配置される。
【００３０】
接続器１で絶縁トロリー線２同士を連結するには、例えば以下のようにする。まず、両絶縁トロリー線２の接続器１側の端部の絶縁材８を剥いて各導体７の接続器１側の端部を露出させる。
【００３１】
次に図４のように両絶縁トロリー線２をベース１２の挿入溝１６に下方から挿入して支持部１７で両絶縁トロリー線２を支持させる。また、この際、両絶縁トロリー線２の前記露出させた各導体７の端部を図４のように上方に折り曲げて前後に重ね合わせ、この重ね合わせた二枚の折曲片部４１を対応する端子１５ａ〜１５ｃの通し孔１９に下方から挿入する。その後、端子１５ａ〜１５ｃを前述のようにベース１２上に設置する。
【００３２】
そして、端子１５ａ〜１５ｃに設けられたボルト２６を締めつけ、このボルト２６の先端面と挿入孔２４の内面の間に前記重ねた二枚の折曲片部４１を挟み込む。このようにして絶縁トロリー線２の各導体７は他方の絶縁トロリー線２の対応する導体７に電気接続される。なお、この接続状態における各端子１５ａ〜１５ｃは単にベース１２上に載置されるものであるが、嵌め込み等によりベース１２に対して水平方向に移動不能に固定されるものであってもよい。
【００３３】
図２に示すように端子１５ａ〜１５ｃに接続される電線５は給電線として用いられるケーブルからなり、その端部には圧着端子５ａが設けられている。なお、図３では電線５の端部に圧着された圧着端子５ａのみを図示し、ケーブルの図示を省略している。
【００３４】
電線５は例えば以下のようにして前記ベース１２上に配置された各端子１５ａ〜１５ｃの電線接続部２１に接続される。まず、電線５の圧着端子５ａを図３のように対応する端子の１５ａ〜１５ｃの電線接続部２１の側面に沿わせる。そして、圧着端子５ａにボルト４２を通し、このボルト４２を電線接続部２１の電線接続用孔２８にねじ込むことで圧着端子５ａを電線接続部２１に締結する。
【００３５】
前記各端子１５ａ〜１５ｃの電線接続部２１に接続された電線５は電線接続部２１から前方に導かれ、引出用開口４０を介して前方に引き出される。
【００３６】
このようにベース１２の各端子１５ａ〜１５ｃに接続された電線５の端部はベース１２に取り付けられたカバー１３で覆われる。
【００３７】
図５のようにベース１２の左右両端部には外側方に突出する横片状のスライド保持部３１が前後に亘って形成されている。一方、カバー１３の左右の側面部の下端部内面には、対応するスライド保持部３１によって前後方向にスライド自在且つ上下動不能に保持される被保持部３４が前後に複数形成されている。各被保持部３４は、カバー１３の側面部において上下に離間した２箇所から内側方に向けて突出したリブ３２，３３で構成され、スライド保持部３１はリブ３２，３３間に形成された溝４６に前後方向にスライド自在に挿入される。
【００３８】
図６及び図７のようにベース１２の後端部中央には、図２に示す所定位置に配置されたカバー１３を前後動不能にするスライド規制部３５が形成されている。
【００３９】
スライド規制部３５は、ベース１２から後方に突出した係止部３６と、ベース１２の後端部から上方に突出したリブ３８とで構成されている。係止部３６には上方に突出してリブ３８の前方に配置される爪部３７が形成され、リブ３８と爪部３７の間には上方に開口する溝４８が形成されている。カバー１３の後面部の下端部は、図２に示す位置にカバー１３が配置されたときに溝４８に嵌まり込んで前後動不能になる嵌込部４７を構成する。
【００４０】
ベース１２の前端部両側には複数のリブによって上方に突出する壁状に形成された電線受部３９が形成されている。両電線受部３９は図２に示す所定位置に配置されたカバー１３の前端部内側に嵌め込まれ、対応するカバー１３の側面部の内面に沿う。また、両電線受部３９の間は本体１１内から電線５を引き出すための電線引出口４０となっている。
【００４１】
カバー１３をベース１２に取り付けるには、図５のようにベース１２の後方に配置したカバー１３を前方に移動して、ベース１２の左右のスライド保持部３１を対応する各被保持部３４の溝４６に挿入する。このカバー１３の移動は嵌込部４７がベース１２のスライド規制部３５の溝４８に嵌まるまで行われる。具体的には、カバー１３の嵌込部４７が爪部３７に対応する位置まで移動してきたときには、嵌込部４７が係止部３６を下方に押圧して弾性変形させる。さらにカバー１３が前方に移動すると、嵌込部４７が爪部３７を乗り越えて係止部３６が上方に弾性復帰し、嵌込部４７が溝４６に嵌まる。上記により、カバー１３は、スライド保持部３１によって上下動不能に保持されると共にスライド規制部３５によって前後動不能に保持されて、図２に示すベース１２の所定位置に取り付けられる。これにより、各電線５の端部や端子１５ａ〜１５ｃはベース１２とカバー１３で囲まれた空所内に収められる。
【００４２】
以上説明したように、本実施形態の接続器１は、側面視Ｌ字状の端子１５ａ〜１５ｃが左右に並べて設けられる。そして、隣合う端子１５ａ〜１５ｃ（即ち端子１５ａ及び１５ｂ、或いは端子１５ｂ及び端子１５ｃ）にあっては、トロリー線接続部２２の突出方向を逆向きにして、両者の電線接続部２１が前後方向において離間している。このため端子１５ａ〜１５ｃの夫々の電線接続部２１を前後方向に離間させ、電線５同士の絶縁距離を充分に確保できる。また、電線５同士が干渉し難くなり、施工性も向上する。また、隣り合う端子１５ａ〜１５ｃの左右方向における間隔を小さくすることができ、接続器１の大型化を抑えることができる。また、端子１５ａ〜１５ｃはトロリー線接続部２２よりも上方に突出する電線接続部２１を有するので、電線５の端部を絶縁トロリー線２から上方に離して、電線５の端部と絶縁トロリー線２との絶縁距離を充分に確保できる。また、電線５が絶縁トロリー線２側に配置されるベース１２に干渉することも防止でき、この点でも施工性が良くなる。
【００４３】
また、隣り合う端子１５ａ〜１５ｃにあっては、夫々の電線接続部２１に設けられた電線接続用孔２８が上下方向においてずれて配置される。このようにすることで、接続器１の大型化を抑えつつ、端子１５ａ〜１５ｃに接続される電線５をさらに大きく離間させることができる。
【００４４】
また、端子１５ａ，１５ｃにあっては、電線接続部２１をトロリー線接続部２２よりも上方において側方に向かって傾斜させている。これにより、電線接続部２１の上方への突出量を抑えて、接続器１が上方に大きくなることを防止できる。
【００４５】
また、接続器１は、端子１５ａ〜１５ｃが設けられるベース１２と端子１５ａ〜１５ｃを覆うカバー１３を備え、ベース１２に、カバー１３を水平方向にスライド自在且つ上下動不能に保持するスライド保持部３１が形成されている。これにより、高所においてベース１２の上方に障害物がある場合等、ベース１２上方のスペースを大きく確保できない際に、カバー１３を水平方向にスライドして容易にベース１２に取り付けることができる。
【００４６】
また、ベース１２には、カバー１３が端子１５ａ〜１５ｃを覆う位置に配置されたときに、カバー１３のスライド方向の移動を規制するスライド規制部３５が形成されている。これにより、カバー１３をベース１２に対してスライドするだけで、カバー１３を水平方向の移動を規制した状態でベース１２に取り付けることができる。従って、カバー１３をベース１２に固定するためにねじ止め等の作業を行うことが不要になり、高所等作業し難い場面において、カバー１３をベース１２に容易に取り付けられる。
【００４７】
また、ベース１２には、端子１５ａ〜１５ｃに接続された電線５とベース１２に取り付けられたカバー１３の間に配置される電線受部３９が形成されている。これにより、端子１５ａ〜１５ｃに接続された電線５が動いたときには、この電線５を電線受部３９で受けることができる。従って、電線５がカバー１３に当たってベース１２からカバー１３が外れることを防止できる。
【００４８】
なお、上記実施形態では、接続器１がベース１２を下、カバー１３を上にして施工される例につき説明したが、施工時における接続器１の向きはこれに限定されるものではない。例えば絶縁トロリー線２が建物の壁に沿って設けられる場合には、カバー１３がベース１２の壁側に配置される。
【００４９】
また、上記実施形態の接続器１は三個の端子１５ａ〜１５ｃを備えた三極用の接続器であるが、前記端子の数は限定されるものではなく、例えば図８のように四個の端子１５ａ〜１５ｄを備えた四極用の接続器１としてもよい。
【００５０】
図８の例では、接続される絶縁トロリー線２が四本の導体７を有している。また、左右両外側の端子１５ａ，１５ｄは、トロリー線接続部２２を前方に向けた状態でベース上に配置され、中央の二個の端子１５ｂ，１５ｃがトロリー線接続部２２を後方に向けた状態でベース１２上に配置される。これら端子１５ａ〜１５ｄのうちの三個の端子の電線接続部２１には上記実施形態と同様に給電線からなる電線５が接続される。また、他の一個の端子の電線接続部２１には接地線からなる電線５が接続され、すなわち、絶縁トロリー線２の導体７のうちの一本の導体７は接地極として利用される。この図８の例においても上記実施形態と同様の効果を奏することができる。
【符号の説明】
【００５１】
１  接続器
５  電線
１２  ベース
１３  カバー
１５ａ  端子
１５ｂ  端子
１５ｃ  端子
２１  電線接続部
２２  トロリー線接続部
２８  電線接続用孔
３１  スライド保持部
３５  スライド規制部
３９  電線受部
【図１】
0005508176.tif 000002
【図２】
0005508176.tif 000003
【図３】
0005508176.tif 000004
【図４】
0005508176.tif 000005
【図５】
0005508176.tif 000006
【図６】
0005508176.tif 000007
【図７】
0005508176.tif 000008
【図８】
0005508176.tif 000009
【図９】
0005508176.tif 000010